(57)【要約】      （修正有）【課題】自動車のフードの様な突起物を有する平板状の被収容体を下端部で安全かつ確実に支持する支持構造体の提供。【解決手段】切り抜いたダンボールの平板体を折り曲げて縦置きに配置した被収容体１０を下端部で支持するための支持構造体１は等幅の第１〜第１０の壁部ｐ１〜ｐ１０を連結して構成され、第２の壁部ｐ２は第１の壁部ｐ１に対して直角に折り曲げられ、第３の壁部ｐ３は第２の壁部ｐ２に対して直角に折り曲げられ、第５の壁部ｐ５は第４の壁部ｐ４に対して直角に折り曲げられて第１の壁部ｐ１に重なっており、以下同様にして折り曲げられて壁部に重なっており、第２の壁部ｐ２、第６の壁部ｐ６、第１０の壁部ｐ１０にそれぞれ第1の折り曲げ部４、第２の折り曲げ部５、第３の折り曲げ部６が設けられていて、第３の折り曲げ部６は第２の折り曲げ部５を折り曲げて形成される第２の切り込み線ｃ２と第６の切り込み線ｃ６の間に係合している。【選択図】図１
2007216966.tif 000002
【特許請求の範囲】
【請求項１】
切り抜いたダンボールの平板体を折り曲げて縦置きに配置した突起物を有する平板状体を支持するための支持構造体において、その支持構造体は第１、第２、第３、第４、第５、第６、第７、第８、第９及び第１０の壁部を連結して構成され、前記第２の壁部は第１の壁部に対して直角に折り曲げられ、前記第３の壁部は第２の壁部に対して直角に折り曲げられ、前記第４の壁部は第３の壁部に対して直角に折り曲げられ、前記第５の壁部は第４の壁部に対して直角に折り曲げられて第１の壁部に重なっており、前記第６の壁部は第５の壁部に対して直角に折り曲げられて第２の壁部に重なっており、前記第７の壁部は第６の壁部に対して直角に折り曲げられて第３の壁部に重なっており、前記第８の壁部は第７の壁部に対して直角に折り曲げられて第４の壁部に重なっており、前記第９の壁部は第８の壁部に対して直角に折り曲げられて第５の壁部に重なっており、前記第１０の壁部は第９の壁部に対して直角に折り曲げられて第６の壁部に重なっており、前記第２の壁部に第1の折り曲げ部が設けられ、第６の壁部に第２の折り曲げ部が設けられ、第１０の壁部に第３の折り曲げ部が設けられていて、前記第３の折り曲げ部は前記第２の折り曲げ部を折り曲げて形成される第２の切り込み線と第３の切り込み線の間に係合していることを特徴とする支持構造体。
【請求項２】
前記第１の折り曲げ部は第２の壁部の幅全体に折り曲げられている請求項１の支持構造体。
【請求項３】
前記第２、第３の折り曲げ部は第６及び第１０の壁部の中心付近に形成され、それぞれの折り曲げ部を形成する切り込み線は中心線に並行する第２の切り込み線及び、第６の切り込み線と第６の切り込み線の中央部付近から上方に向かって拡がる斜めの第４の切り込み線及び中心線に並行する第３の切り込み線及び第７の切り込み線と第７の切り込み線の中央部付近から上方に向かって拡がる斜めの第５の切り込み線となっている請求項１或いは請求項２に記載の支持構造体。
【発明の詳細な説明】
【技術分野】
【０００１】
本発明は、例えば自動車のフードの様に突起物を有する平板状体である被収容体を縦置きに配置するために切り抜いたダンボールの平板体を折り曲げて、構成した支持構造体に関する。
【背景技術】
【０００２】
周知の如く従来、物品の保持、支持等に発泡スチロールの構造体が多く使われていた。しかしながら使用後に廃却され焼却時に公害問題が発生していた。そのために近年発泡スチロールにかえて紙体であるダンボールが多く使用されるようになった。
物品を収容するためにダンボールを折りたたんで形成する支持構造体は種々知られ、開示されている（例えば特許文献１、２参照）。
平板状の被収容体を収容する場合は、平面部の凹みや損傷をさけるためにガラス板の保管や搬送の場合のように縦置きにして収容するすることが多い。
被収容体を縦置きに収容する場合は、被収容体の下端部に重量がかかり支持構造体との接部が損傷しやすい。特に図７で平面を示す乗用車のフード１０のような場合には、ウインドーガラスが曲面でありそして、フロントウインドー側にワイパーブレードＢが配置されているので、造形的に端部１２が湾曲して縁部１２ｂが狭くなって突起状となり特に曲げ強度が低いので、端部１２に損傷の生じることのない支持構造体が必要である。図７、８における符合Ｆは車両の前方を示し、Ｒは後方即ち、運転席方向を示し、符合Ｕは上方をＬは下方をそれぞれ示している。
【０００３】
図８はこのようなフード１０を縦置きにして箱体２に収容する例であって、フード１０の突起物即ち尖った端部１２を箱体２内の底部に配置した支持構造体１ａで形状にあわせて支持して収容している。
【特許文献１】特開２００２−２６５７号公報
【特許文献２】特開２００３−１０４３６７号公報
【発明の開示】
【発明が解決しようとする課題】
【０００４】
本発明は上述した従来技術の問題点に鑑みて提案されたものであり、従って本発明の目的は、ダンボールの平板体を折り抜いて折り曲げ線に沿って曲折するだけで縦置きに配置した突起物を有する平板状体の被収容体を安全に支持する支持構造体を提供するにある。
【課題を解決するための手段】
【０００５】
本発明によれば、折り抜いたダンボールの平板体を折り曲げて縦置きに配置した突起物を有する平板状体を支持するための支持構造体において、その支持構造体１は第１、第２、第３、第４、第５、第６、第７、第８、第９及び第１０の壁部ｐ１、ｐ２、ｐ３、ｐ４、ｐ５、ｐ６、ｐ７、ｐ８、ｐ９、ｐ１０を連結して構成され、前記第２の壁部ｐ２は第１の壁部ｐ１に対して直角に折り曲げられ、前記第３の壁部ｐ３は第２の壁部ｐ２に対して直角に折り曲げられ、前記第４の壁部ｐ４は第３の壁部ｐ３に対して直角に折り曲げられ、前記第５の壁部ｐ５は第４の壁部ｐ４に対して直角に折り曲げられて第１の壁部ｐ１に重なっており、前記第６の壁部ｐ６は第５の壁部ｐ５に対して直角に折り曲げられて第２の壁部ｐ２に重なっており、前記第７の壁部ｐ７は第６の壁部ｐ６に対して直角に折り曲げられて第３の壁部ｐ３に重なっており、前記第８の壁部ｐ８は第７の壁部ｐ８に対して直角に折り曲げられて第４の壁部ｐ４に重なっており、前記第９の壁部ｐ９は第８の壁部ｐ８に対して直角に折り曲げられて第５の壁部ｐ５に重なっており、前記第１０の壁部ｐ１０は第９の壁部ｐ９に対して直角に折り曲げられて第６の壁部ｐ６に重なっており、前記第２の壁部ｐ２に第1の折り曲げ部４が設けられ、第６の壁部ｐ６に第２の折り曲げ部５が設けられ、第１０の壁部ｐ１０に第３の折り曲げ部６が設けられていて、前記第３の折り曲げ部６は前記第２の折り曲げ部５を折り曲げて形成される第２の切り込み線ｃ２と第３の切り込み線ｃ６の間に係合している。
【０００６】
上記によって支持構造体は中空四角柱状に形成され、第１、第２及び第３の折り曲げ部で突起物を有する平板状体を支持し、第３の折り曲げ部が第６の壁部に係合して中空四角柱状を保持する。
【０００７】
前記第１の折り曲げ部４は第２の壁部ｐ２の幅全体に折り曲げられていることが好ましい。
これによって、第１の折り曲げの両端部がそれぞれ第１及び第３の壁部に密接して支持構造体としての支持力を大きくする。
【０００８】
前記第２、第３の折り曲げ部５、６は第６及び第１０の壁部ｐ６、ｐ１０の中心付近に形成され、それぞれの折り曲げ部５、６を形成する切り込み線は中心線に並行する第２の切り込み線ｃ２及び、第６の切り込み線ｃ６と第６の切り込み線ｃ６の中央部付近から上方に向かって拡がる斜めの第４の切り込み線ｃ４及び中心線に並行する第３の切り込み線ｃ３及び第７の切り込み線ｃ７と第７の切り込み線ｃ７の中央部付近から上方に向かって拡がる斜めの第５の切り込み線ｃ５となっていることが好ましい。
上記によってこれによって、斜めの第４及び第５の切り込み線で湾曲している平板状体の突起物を支持構造体の内部に案内し、被収容体の湾曲部を好適に収容できる。
【発明の効果】
【０００９】
以上の構成による本発明によれば、
（ａ）  壁部を連結して重ね第１０の壁部に設けた第３の折り曲げ部を、第６の壁部の第２の折り曲げ部を折り曲げて形成される切り込み線の間に係合したので、中空四角柱状体の形状を保持する利点がある。
（ｂ）  第１、第２及び第３の折り曲げ部で被収容体を支持しているので、平板状の突起物の先端に支持力が作用せず、突起物の端部が支持時あるいは輸送時の振動で変形しない利点がある。
（ｃ）  第１の折り曲げ部が第２の壁部の幅全体に折り曲げられていれば、第１の折り曲げ部の両端部がそれぞれ第１及び第３の壁部に密接して摩擦力による支持力を大きくする利点がある。
（ｄ）  平板体を平置きして保管し使用時に組み立てれば、保管場所が少なくて済む利点がある。
（ｅ）  平板体を切り抜き折り曲げてかつ無接着で支持構造体を作成するので、再使用可能な利点がある。
（ｆ）  また、第６及び第１０の壁部に折り曲げ部を設けそれぞれに斜めにすれば、それらの折り曲げ部が上方に向けて広がり、端部が湾曲している被収容体を支持構造体に円滑に収容できる利点がある。
【発明を実施するための最良の形態】
【００１０】
本発明の一実施形態の支持構造体を突起物を有する平板状体の被収容体の例として自動車のフード１０を収容する例を.図を参照して説明する。
図１〜４で支持構造体１を示しており、図５が支持構造体１を折り曲げて組み立てるための平板体１Ｚを示しており、図６が平板体１Ｚを組み立てる態様を説明するための図を示している。
【００１１】
図１において支持構造体１はフード１０の突起物である尖った端部１２を支持構造体１内に配置して支持するよう形成されていて、外縁１２ａが奥部に位置し、縁部１２ｂを窓状の凹部を形成する切り曲げ部に嵌入して支持するように形成されている。
【００１２】
上面を示す図２も参照して、支持構造体１は、中空部１Ａを形成する第１の壁部ｐ１と、第２の壁部ｐ２と、第３の壁部ｐ３及び第４の壁部ｐ４とが直角に連結されて四角の中空部１Ａを形成している。
【００１３】
前記第４の壁部ｐ４に第５の壁部ｐ５連結され、その第５の壁部ｐ５と、第６の壁部ｐ６と第７の壁部ｐ７及び第８の壁部ｐ８とがそれぞれ直角に連結されて、それぞれが第１の壁部ｐ１と、第２の壁部ｐ２と、第３の壁部ｐ３及び第４の壁部ｐ４に重なっている。
【００１４】
第８の壁部ｐ８に第９の壁部ｐ９が連結され、その第９の壁部ｐ９と、第１０の壁部ｐ１０とが直角に連結されてそれぞれ第５の壁部ｐ５と、第６の壁部ｐ６に重なっている。
【００１５】
上記によって、第９の壁部ｐ９と、第１０の壁部ｐ１０は３重となり、第７の壁部ｐ７と、第８の壁部ｐ８は２重となっている。
【００１６】
図１において第３の折り曲げ部６は第１０の壁部ｐ１０に形成されており、図２を参照して、第２の折り曲げ部５は第６の壁部ｐ６に形成されており、第１の折り曲げ部４は第２の壁部ｐ２に形成されている。図２においては、第１の折り曲げ部４は直角に折り曲げられ、第２及び第３の折り曲げ部５、６は折り曲げる前の状態を示している。
【００１７】
図３は第２及び第３の折り曲げ部５、６が折り曲げられない状態の正面図であって、
第２、第３の折り曲げ部５、６は第６及び第１０の壁部ｐ６（図においては隠れている）、ｐ１０の中心付近に形成されている。
実線で示される第３の折り曲げ部６を形成する切り込み線は、壁面に並行する第３、第７の切り込み線ｃ３、ｃ７と第７の切り込み線ｃ７の中央部付近から上方に向かって拡がる斜めの第５の切り込み線ｃ５となっている。そして、第３、第７の切り込み線ｃ３、ｃ７の端部が第１４の折り曲げ線１４で連続されている。
【００１８】
点線で示される第２の折り曲げ部５を形成する切り込み線は、壁面に並行する第２、第６の切り込み線ｃ２、ｃ６と第６の切り込み線ｃ６の中央部付近から上方に向かって拡がる斜めの第４の切り込み線ｃ４となっている。そして、第２、第６の切り込み線ｃ２、ｃ６の端部が隠れた状態の第１３の折り曲げ線１３で連続されている。
【００１９】
そして第３の折り曲げ部６は、同様の形状に形成された第２の折り曲げ部５より広く開放されている。
【００２０】
図４は図２のＸ−Ｘ断面であって、第１、第２及び第３の折り曲げ部４、５、６を明示するための図である。
第２の壁部ｐ２の上部の第１の折り曲げ部４が内部側に折れ曲がり、第６の壁部ｐ６の第２の折り曲げ部５が内部側に折れ曲がって第１の折り曲げ部４の上に重なり、第１０の壁部ｐ１０の第３の折り曲げ部６が内側に折れ曲がって第２、第１の折り曲げ部５、４の上に重なってフード１０の尖った端部１２の内縁１２ｂに接する台座面を形成するよう構成されている。
【００２１】
図４における２点鎖線の仮想線６´、５´及び４´はフード１０の突起部である尖った端部１２の縁部１２ｂを第３、第２及び第１の折り曲げ部６、５、４が撓んで支持した状態である。
【００２２】
上記支持構造体１を、切り抜いた平板体１Ｚを折り曲げて組み立てる態様は後述するが、最初に図５において平板体１Ｚの展開図を説明する。本例における平板体１Ｚの材質は公知市販の段ボールである。
【００２３】
図４において平板体１Ｚは、長辺が等幅、平行な縁線７ａ、７ｂで囲まれ、短辺が平行な縁線８ａ、８ｂで囲まれた長方形に形成されていて、第１の壁部ｐ１と、第１の壁部ｐ１に対して直角に折り曲げるための第１の折り曲げ線ｂ１を介して連結される第２の壁部ｐ２と、第２の壁部ｐ２に対して直角に折り曲げるための第２の折り曲げ線ｂ２を介して連結される第３の壁部ｐ３とで形成されている。
【００２４】
さらに上記に連結して、第３の壁部ｐ３に対して直角に折り曲げるための第３の折り曲げ線ｂ３を介して連結される第４の壁部ｐ４と、第４の壁部ｐ４に対して直角に折り曲げるための第４の折り曲げ線ｂ４を介して連結される第５の壁部ｐ５と、第５の壁部ｐ５に対して直角に折り曲げるための第５の折り曲げ線ｂ５を介して連結される第６の壁部ｐ６と、第６の壁部ｐ６に対して直角に折り曲げるための第６の折り曲げ線ｂ６を介して連結される第７の壁部ｐ７とが形成されている。
【００２５】
また、上記に連結して同様に第７の壁部ｐ７に対して直角に折り曲げるための第７の折り曲げ線ｂ７を介して連結される第８の壁部ｐ８と、第８の壁部ｐ８に対して直角に折り曲げるための第８の折り曲げ線ｂ８を介して連結される第９の壁部ｐ９と、第９の壁部ｐ９に対して直角に折り曲げるための第９の折り曲げ線ｂ９を介して連結される第１０の壁部ｐ１０とが形成されている。
【００２６】
第１の壁部ｐ１に縁線７ａに平行な第１０の折り曲げ線ｂ１０が設けられている。
第２の壁部ｐ２に第１の折り曲げ部４が形成されていて、幅方向の一端から、即ち縁線７ａから内方に直角に延びる一対の第１の切り込み線ｃ１、ｃ１が設けられ、それらの端部が第１１の折り曲げ線ｂ１１で連結されている。
【００２７】
この第１の切り込み線ｃ１、ｃ１は、図示の例ではそれぞれ第１の折り曲げ線ｂ１と第２の折り曲げ線ｂ２に重ねて設けられている。即ち幅全体を跨いで設けられている。第１１の折り曲げ線ｂ１１は第１０の折り曲げ線１０より僅に図における上部の縁線７ａに近い位置に設けられている。
第１１の折り曲げ線ｂ１１に平行に第１２の折り曲げ線１２が設けられている。
【００２８】
第６の壁部ｐ６に第２の折り曲げ部５が設けられている。第２の折り曲げ部５には、幅方向の一端から、即ち縁線７ａから内方に直角に延びる第２の切り込み線ｃ２が設けられ、縁線７ａの縁線８ｂ側の別の位置から内方に傾斜して延びる第４の切り込み線ｃ４が設けられている。
【００２９】
第４の切り込み線ｃ４の端部から第２の切り込み線ｃ２に平行な第６の切り込み線ｃ６が設けられ、第２の切り込み線ｃ２の端部と第６の切り込み線ｃ６の端部とが第１３の折り曲げ線ｂ１３で連結されていて、上記の第２、第３及び第４の切り込み線ｃ２、ｃ４、ｃ６及び第１３の折り曲げ線ｂ１３に囲まれて、第２の折り曲げ部５が形成されている。
【００３０】
第１０の壁部ｐ１０に第３の折り曲げ部６が設けられている。第３の折り曲げ部６は第２の折り曲げ部５と実質的に同じである。ただし第２の折り曲げ部５に対して第３の切り込み線ｃ３と第７の切り込み線ｃ７との間の距離が図示の例では約５〜１０ｍｍ狭くなっている。また、第１４の折り曲げ線ｂ１４が第１３の折り曲げ線ｂ１３より縁線７ａにわずかに近い位置、例えば板厚よりやや大きい程度だけ近い位置、に設けられている。
【００３１】
上記の各折り曲げ線は、押圧して段ボールの板厚を減少させてもよいし、板厚の適宜の深さへの切り込みでも、あるいは切断の断絶でもいずれでもよい。
【００３２】
上記の展開図５の平板体１Ｚを支持構造体１に組み立てた場合の完成図が前記の図１、２、３、４である。
図６は展開図５の平板体１を組み立てる態様を説明するための図である。
【００３３】
図１〜図５、特に図５を参照して、最初に第２の壁部ｐ２を第１の壁部ｐ１に対して第１の折り曲げ線ｂ１にそって直角に折り曲げる。
次に第３の壁部ｐ３を第２の壁部ｐ２に対して第２の折り曲げ線ｂ２にそって直角に折り曲げる。
【００３４】
以下同様にして、第４の壁部ｐ４を第３の壁部ｐ３に対して第３の折り曲げ線ｂ３にそって直角に折り曲げ、第５の壁部ｐ５を第４の壁部ｐ４に対して第４の折り曲げ線ｂ４にそって直角に折り曲げて第１の壁部ｐ１に重ねる。
【００３５】
以下前記と同様にして、第６の壁部ｐ６を第５の壁部ｐ５に対して第５の折り曲げ線ｂ５にそって直角に折り曲げて第２の壁部ｐ２に重ねる。
【００３６】
同様に、第７の壁部ｐ７を第６の壁部ｐ６に対して第６の折り曲げ線ｂ６にそって直角に折り曲げて第３の壁部ｐ３に重ね、第８の壁部ｐ８を第７の壁部ｐ７に対して第７の折り曲げ線ｂ７にそって直角に折り曲げて第４の壁部ｐ４に重ね、第９の壁部ｐ９を第８の壁部ｐ８に対して第８の折り曲げ線ｂ８にそって直角に折り曲げて第５の壁部ｐ５に重ねる。ここで第９の壁部ｐ９は第１の壁部ｐ１にも重なって３重壁になる。
【００３７】
次に、第１０の壁部ｐ１０を第９の壁部ｐ９に対して第９の折り曲げ線ｂ９にそって直角に折り曲げて第６の壁部ｐ６に重ね、第２の壁部ｐ２にも重なって３重壁になる。
以上で中空四角柱状の支持構造体１が構成される。
【００３８】
最後に、第１、第２及び第３の折り曲げ部４、５、６を内部側に折れ曲げる。
図２は第１の折り曲げ部４が第１１の折り曲げ線ｂ１１にそって折り曲げられた状態であり、図６は図２に加えて第２の折り曲げ部５が第１３の折り曲げ線ｂ１３にそって折り曲げられた状態を示している。また、図４はさらに第３の折り曲げ部６が第１４の折り曲げ線ｂ１４にそって折り曲げられた状態を示している。この段階で第３の折り曲げ部６が狭い第２の折り曲げ部５の第２及び第６の切り込み線ｃ２、ｃ６をくぐることで後戻りのない係合がなされて支持構造体１を無接着で構成している。
【００３９】
そして、第１、第２及び第３の折り曲げ部４、５、６を台座にしてフード１０の尖った端部１２を縁部１２ａで支持する。そして、斜めの第４、第５の切り込み線ｃ４、ｃ５で端部１２を支持する。
【００４０】
なお、第１の折り曲げ部４の第１２の折り曲げ線ｂ１２は、第１１の折り曲げ線ｂ１１による台座が突起部である端部１２に対して調整を必要とする場合に折り曲げて台座の形状を調整する。
さらに、第１の壁部ｐ１の上部を第１０の折り曲げ線ｂ１０にそって折り曲げれば、第１の折り曲げ部４を下から支えることができる。
【図面の簡単な説明】
【００４１】
【図１】本発明の支持構造体の一実施形態を示す斜視図である。
【図２】図１の上面図である。
【図３】図１の正面図である。
【図４】図５の状態にさらに第１の折り曲げ部を内側にまげ被収容体を支持可能にした状態を示す図である。
【図５】支持構造体を組むための平板体の展開図である。
【図６】図２のＸ−Ｘ断面図であって第１、第２の折り曲げ部を内側にまげた状態を示す図である。
【図７】被収容体の一例の乗用車用のフードを示す平面図である。
【図８】被収容体のフードを箱体の底部に配置した支持構造体で収容支持する状態を示す斜視図である。
【符号の説明】
【００４２】
１・・・・支持構造体
１Ｚ・・・平板体
４  ・・・・第１の折り曲げ部
５・・・・第２の折り曲げ部
６・・・・第３の折り曲げ部
１０・・・・・・・フード（被収容体）
１２・・・・・・・フードの端部（突起部）
ｐ１・・・第1の壁部
ｐ２・・・第２の壁部
ｐ３・・・第３の壁部
ｐ４・・・第４の壁部
ｐ５・・・第５の壁部
ｐ６・・・第６の壁部
ｐ７・・・第７の壁部
ｐ８・・・第８の壁部
ｐ９・・・第９の壁部
ｐ１０・・第１の壁部
ｂ１・・・第1の折り曲げ線
ｂ２・・・第２の折り曲げ線
ｂ３・・・第３の折り曲げ線
ｂ４・・・第４の折り曲げ線
ｂ５・・・第５の折り曲げ線
ｂ６・・・第６の折り曲げ線
ｂ７・・・第７の折り曲げ線
ｂ８・・・第８の折り曲げ線
ｂ９・・・第９の折り曲げ線
ｂ１０・・・第1０の折り曲げ線
ｂ１１・・・第1１の折り曲げ線
ｂ１２・・・第1２の折り曲げ線
ｂ１３・・・第1３の折り曲げ線
ｂ１４・・・第1４の折り曲げ線
ｃ１・・・・第１の切り込み線
ｃ２・・・・第２の切り込み線
ｃ３・・・・第３の切り込み線
ｃ４・・・・第４の切り込み線
ｃ５・・・・第５の切り込み線
ｃ６・・・・第６の切り込み線
ｃ７・・・・第７の切り込み線
【図１】
2007216966.tif 000003
【図２】
2007216966.tif 000004
【図３】
2007216966.tif 000005
【図４】
2007216966.tif 000006
【図５】
2007216966.tif 000007
【図６】
2007216966.tif 000008
【図７】
2007216966.tif 000009
【図８】
2007216966.tif 000010